(57)【特許請求の範囲】
【請求項１】
前胴回り域と後胴回り域と股下域とを含んでいてこれら各域が着用者の肌と向かい合う内面を有するパンツ形状のシャシーと、前記股下域を中央にして前記前胴回り域と前記後胴回り域とに延びて前記シャシーの前記内面に接合されている体液吸収性パネルとを備え、前記シャシーには胴回り開口と一対の脚回り開口とが形成されている使い捨てのパンツ型着用物品であって、
前記シャシーは、前記前胴回り域と前記股下域の一部分とを含む前方部分と，前記後胴回り域と前記股下域の一部分とを含む後方部分とを有し、
前記前方部分には、前記前胴回り域の幅方向へ延びるとともに前記前胴回り域の上下方向において互いに離間している複数条の前方弾性部材が取り付けられていて、前記前方弾性部材のうちで最下部に位置する少なくとも一条の最下部弾性部材は、一対の前記脚回り開口それぞれの前縁部分に沿って緊張した状態で延びるとともに、一対の前記脚回り開口の間にある前記股下域の前方部分では前記前縁部分に比べて弛緩した状態で延びており、
前記後方部分には、前記後胴回り域の幅方向へ延びるとともに前記後胴回り域の上下方向において互いに離間している複数条の後方弾性部材が取り付けられていて、前記後方弾性部材のうちで最下部に位置する少なくとも一条の最下部弾性部材は、一対の前記脚回り開口それぞれの後縁部分に沿って緊張した状態で延びるとともに、一対の前記脚周り開口の間にある前記股下域の後方部分では前記後縁部分に比べて弛緩した状態で延びており、
前記体液吸収性パネルは、前記前胴回り域の前記内面に対して接合状態にある前端部と、前記後胴回り域の前記内面に対して接合状態にある後端部と、前記前端部と前記後端部との間にあって前記股下域の前記内面に対して非接合状態にある中間部とを有し、
前記体液吸収性パネルの前記幅方向の両側には、前記前端部と前記後端部との間に延びている弾性部材の収縮作用下に前記体液吸収性パネルの内面からの起立性向を有する防漏堤が形成されており、
前記前方弾性部材における前記最下部弾性部材と前記後方弾性部材における前記最下部弾性部材とは、前記股下域のうちの内股部分にまでは延びることなく前記股下域を横断しており、
前記股下域の前記内股部分には、緊張状態で前後方向へ延びる弾性部材が含まれていないことを特徴とする前記着用物品。
【請求項２】
前記シャシーの前記幅方向における両側部分は、前記上下方向において、前記股下域に位置している前記体液吸収性パネルの下端部分にまで延びている請求項１記載の着用物品。
【請求項３】
前記シャシーの前記幅方向における両側部分では、前記前後胴回り域それぞれを形成している部材とは別体であって前記前方弾性部材および前記後方弾性部材を含むことのないパネル部材が前記前胴回り域と前記後胴回り域との間に介在している請求項１または２記載の着用物品。
【請求項４】
前記前胴回り域は、前記体液吸収性パネルの前記前端部よりも下方の部分において、前記前方弾性部材の収縮によって前記幅方向の全体にひだが一様に形成されていて、幅も一様である請求項１〜３のいずれかに記載の着用物品。
【請求項５】
前記後胴回り域は、前記体液吸収性パネルの前記後端部よりも下方の部分において、前記弾性部材の収縮によって前記幅方向の全体にひだが一様に形成されていて、幅も一様である請求項１〜４のいずれかに記載の着用物品。
【発明の詳細な説明】
【技術分野】
【０００１】
この発明は、使い捨てのおむつや使い捨ての失禁患者用パンツとして使用可能な使い捨てのパンツ型着用物品に関する。
【背景技術】
【０００２】
パンツ型のシャシーと、その内面に接合された体液吸収性パネルとを有する使い捨てのパンツ型着用物品は、公知でもあり周知でもある。
【０００３】
例えば、特開２００６−１４１４９４号公報（特許文献１）に記載のパンツ型おむつは、外装シートと砂時計型の液吸収体とを含む。外装シートは、股下域において二つに折り重ねられていてトランクス型に近似したパンツ形状のシャシーを形成し、液吸収体は外装シートの内面に接合されている。パンツ型おむつの脚回り開口を形成するために外装シートに形成された湾入部の周縁には、弾性部材が取り付けられている。外装シートにはまた、前身頃部分と後身頃部分とに横方向へ延びる弾性部材が取り付けられている。
【先行技術文献】
【特許文献】
【０００４】
【特許文献１】特開２００６−１４１４９４号公報
【発明の概要】
【発明が解決しようとする課題】
【０００５】
特許文献１に記載のパンツ型おむつは、外装シートに取り付けられた弾性部材の作用によって外装シートと一体の液吸収体を身体に密着させようとするものであって、外装シートと液吸収体とが別体で用意されているものではあっても、パンツ型おむつとしては、それを着用した後に液吸収体を身体の上方に引き上げようとすると、外装シートも引き上げられて、外装シートの湾入部周縁に取り付けられている脚回り用の弾性部材が脚の付け根に常に接近するということがある。したがって、液吸収体の両側部に弾性部材の作用によって起立する防漏堤が形成されている場合には、脚回り弾性部材がそのような状態になると防漏堤の起立が妨げられて、おむつでは体液の横漏れが生じ易くなる。
【０００６】
この発明では、体液吸収性パネルの防漏堤の起立が脚回り開口の周縁部に取り付けられた弾性部材によって妨げられることがないように改良された使い捨てのパンツ型着用物品の提供を課題にしている。
【課題を解決するための手段】
【０００７】
前記課題を解決するために、この発明が対象とするのは、前胴回り域と後胴回り域と股下域とを含んでいてこれら各域が着用者の肌と向かい合う内面を有するパンツ形状のシャシーと、前記股下域を中央にして前記前胴回り域と前記後胴回り域とに延びて前記シャシーの前記内面に接合されている体液吸収性パネルとを備え、前記シャシーには胴回り開口と一対の脚回り開口とが形成されている使い捨てのパンツ型着用物品である。
【０００８】
かかるパンツ型着用物品において、この発明が特徴とするところは、以下のとおりである。すなわち、前記シャシーは、前記前胴回り域と前記股下域の一部分とを含む前方部分と，前記後胴回り域と前記股下域の一部分とを含む後方部分とを有する。前記前方部分には、前記前胴回り域の幅方向へ延びるとともに前記前胴回り域の上下方向において互いに離間している複数条の前方弾性部材が取り付けられていて、前記前方弾性部材のうちで最下部に位置する少なくとも一条の最下部弾性部材は、一対の前記脚回り開口それぞれの前縁部分に沿って緊張した状態で延びるとともに、一対の前記脚回り開口の間にある前記股下域の前方部分では前記前縁部分に比べて弛緩した状態で延びている。前記後方部分には、前記後胴回り域の幅方向へ延びるとともに前記後胴回り域の上下方向において互いに離間している複数条の後方弾性部材が取り付けられていて、前記後方弾性部材のうちで最下部に位置する少なくとも一条の最下部弾性部材は、一対の前記脚回り開口それぞれの後縁部分に沿って緊張した状態で延びるとともに、一対の前記脚回り開口の間にある前記股下域の後方部分では前記後縁部分に比べて弛緩した状態で延びている。前記体液吸収性パネルは、前記前胴回り域の前記内面に対して接合状態にある前端部と、前記後胴回り域の前記内面に対して接合状態にある後端部と、前記前端部と前記後端部との間にあって前記股下域の前記内面に対して非接合状態にある中間部とを有する。前記体液吸収性パネルの前記幅方向の両側には、前記前端部と前記後端部との間に延びている弾性部材の収縮作用下に前記体液吸収性パネルの内面からの起立性向を有する防漏堤が形成されている。
【０００９】
この発明の実施態様の一つにおいて、前記シャシーの前記幅方向における両側部分は、前記上下方向において、前記股下域の内側に位置している前記体液吸収性パネルの下端部分にまで延びている。
【００１０】
この発明の実施態様の一つにおいて、前記シャシーの前記幅方向における両側部分では、前記前後胴回り域それぞれを形成している部材とは別体であって前記前方弾性部材および前記後方弾性部材を含むことのないパネル部材が前記前胴回り域と前記後胴回り域との間に介在している。
【００１３】
この発明の実施態様の他の一つにおいて、前記前胴回り域は、前記体液吸収性パネルの前記前端部よりも下方の部分において、前記前方弾性部材の収縮によって前記幅方向の全体にひだが一様に形成されていて、幅も一様である。
【００１４】
この発明の実施態様のさらに他の一つにおいて、前記後胴回り域は、前記体液吸収性パネルの前記後端部よりも下方の部分において、前記弾性部材の収縮によって前記幅方向の全体にひだが一様に形成されていて、幅も一様である。
【発明の効果】
【００１５】
この発明に係る使い捨てのパンツ型着用物品では、防漏堤を有する体液吸収性パネルの両端部それぞれがパンツ型のシャシーの前後胴回り域それぞれの内面に接合されていて、体液吸収性パネルの股下域である中間部とシャシーの股下域とは非接合状態にある。しかも、シャシーの前方部分と後方部分とに位置してシャシーの幅方向へ延びる最下部弾性部材のそれぞれは、一対の脚回り開口それぞれの前縁部分に沿って延びているか、後縁部分に沿って延びている。このようなパンツ型着用物品では、それを着用した後に体液吸収性パネルを身体の上方へ引き上げようとするときに、脚回り弾性部材として作用する前方部分と後方部分の最下部弾性部材は、体液吸収性パネルに引きずられ上昇することがないから、体液吸収性パネルの防漏堤の起立が脚回り弾性部材によって妨げられるということがない。
【図面の簡単な説明】
【００１６】
【図１】使い捨てのパンツ型着用物品の一例として示す、パンツ型おむつの部分破断斜視図。
【図２】展開おむつの部分破断平面図。
【図３】体液吸収性パネルの部分破断平面図。
【図４】図３のＩＶ−ＩＶ線断面図。
【図５】実施態様の一例を示す図１と同様な図。
【図６】パネル部材が伸展状態にある図５のおむつの斜視図。
【図７】図６のおむつによって得られる展開おむつの部分破断平面図。
【発明を実施するための形態】
【００１７】
この発明に係る使い捨てのパンツ型着用物品として使い捨てのパンツ型おむつを例にとり、添付の図面を参照してこの発明の詳細を説明すると、以下のとおりである。
【００１８】
図１は、使い捨てのパンツ型おむつ１の部分破断斜視図であって、おむつ１の前後方向と幅方向と高さ方向とが双頭矢印Ａ，Ｂ，Ｃで示されている。ただし、以下の説明では、高さ方向Ｃを上下方向Ｃということもある。おむつ１は、パンツ型のシャシー２とシャシー２の内面２ａに取り付けられている体液吸収性パネル３とを有する。シャシー２は、トランクス型パンツまたはボクサータイプのパンツと呼ぶことのできるもので、前胴回り域６と、後胴回り域７と、これら前後胴回り域６，７の間に介在する股下域８とを有する。シャシー２はまた股下域８において二つに折り重ねられていて、前後胴回り域６，７は互いの側縁部６ａ，７ａが合掌状に重なり合い、溶着部位１１において互いに接合している。かようなシャシー２には、胴回り開口１２と、一対の脚回り開口１３とが形成されている。前後胴回り域６，７には、後記前方弾性部材２１と後方弾性部材２２との収縮によって、幅方向Ｂにおいて起伏を繰り返すひだ１５が多数形成されている。シャシー２の内側では、股下域８の近傍で二つに折り重ねられ体液吸収性パネル３が上下方向Ｃへ延びている。体液吸収性パネル３の股下域である中間部３３は、シャシー２の股下域８から寸法Ｄだけ離間している。
【００１９】
図２は、図１のおむつ１において側縁部６ａ，７ａに対して形成されていた溶着部位１１における接合を解いて、前後胴回り域６，７と股下域８とを前後方向Ａと幅方向Ｂとに伸展して得られる展開おむつ１ａの部分破断平面図である。ただし、図２では、体液吸収性パネル３について、その輪郭のみが仮想線１２ａで示されているので、図２は、実質的な意味において、シャシー２の部分破断平面図ということのできるものである。図２におけるシャシー２は、互いに重なり合いホットメルト接着剤（図示せず）を介して接合している内面シート１０ａと外面シート１０ｂとを含んでいる。内面シート１０ａと外面シート１０ｂとの間には、幅方向Ｂへ緊張した状態で延びる複数条の前方弾性部材２１と複数条の後方弾性部材２２とがある。これら弾性部材２１，２２は、内面シート１０ａおよび／または外面シート１０ｂにホットメルト接着剤（図示せず）を介して伸長状態、すなわち緊張した状態で接合している。前方弾性部材２１は、展開おむつ１ａの前後方向Ａの寸法を二等分する中心線Ｐによって画成される前方部分１６に位置するもので、その前方部分１６には前胴回り域６と股下域８の一部分とが含まれている。後方弾性部材２２は、中心線Ｐによって画成される後方部分１７に位置するもので、その後方部分１７には後胴回り域７と股下域８の一部分とが含まれている。
【００２０】
前方弾性部材２１は、図１における胴回り開口１２の周縁部に沿って互いに並行して延びる複数条の上方弾性部材２１ａと、図１において上方弾性部材２１ａの下方に位置する複数条の下方弾性部材２１ｂとを含んでいる。その下方弾性部材２１ｂのうちで最下部に位置する少なくとも一条の最下部弾性部材２１ｃは、脚回り開口１３（図１参照）の周縁部分２３のうちで前方部分１６に位置している前縁部分２３ａに沿って延びるとともに一対の脚回り開口１３の間にある股下域８のうちの前方部分８ａを幅方向Ｂにおいて横断している。かような最下部弾性部材２１ｃは、前縁部分２３ａに対しては高い伸長率で取り付けられていて緊張した状態にあるが、股下域８の前方部分８ａに対しては、前縁部分２３ａにおけるよりも低い伸長率または非伸長状態で取り付けられていて前縁部分２３ａにおける状態に比べて弛緩した状態にある。
【００２１】
後方弾性部材２２は、胴回り開口１２の周縁部に沿って互いに並行して延びる複数条の上方弾性部材２２ａと、図１において上方弾性部材２２ａの下方に位置する複数条の下方弾性部材２２ｂとを含んでいる。その下方弾性部材２２ｂのうちで最下部に位置する少なくとも一条の最下部弾性部材２２ｃは、脚回り開口１３の周縁部分２３のうちで後方部分１７に位置している後縁部分２３ｂに沿って延びるとともに、一対の脚回り開口１３の間にある股下域８のうちの後方部分８ｂを横断している。かような最下部弾性部材２２ｃは、後縁部分２３ｂに対して高い伸長率で取り付けられていて緊張した状態にあるが、股下域８の後方部分８ｂに対しては後縁部分２３ｂにおけるよりも低い伸長率または非伸長状態で取り付けられていて、後縁部分２３ｂにおける状態に比べて弛緩した状態にある。
【００２２】
図２において、シャシー２に対して画かれた仮想線１２ｂ，１２ｃは体液吸収性パネル３を内面シート１０ａに対して接合するときのホットメルト接着剤１４の塗布域を示している。図から明らかなように、体液吸収性パネル３は、仮想線１２ｂと１２ｃとで示された範囲においてのみシャシー２に接合されるもので、シャシー２の股下域８とその近傍とに対しては非接合状態にある。
【００２３】
図３，４において、図３は体液吸収性パネル３の部分破断平面図であり、図４は図３におけるＩＶ−ＩＶ線切断面を示す図である。図３の体液吸収性パネル３は、図２における前後方向Ａと幅方向Ｂとに同じ前後方向Ａと幅方向Ｂとを有し、前後方向Ｅに長く形成されていて前端部３１と、後端部３２と、両端部３１，３２の間の中間部３３とを有する。図４から明らかなように、体液吸収性パネル３は、透液性のトップシート３６と不透液性のバックシート３７と、これら両シート３６，３７の間に介在する体液吸収性の芯材３８とを有する。トップシート３６とバックシート３７とは、芯材３８の周縁から延出して互いに重なり合い、ホットメルト接着剤（図示せず）を介して互いに接合して体液吸収性パネル３の周縁部分３ａを形成している。体液吸収性パネル３の幅方向Ｂの両側それぞれには、互いに重なり合うトップシート３６とバックシート３７とをトップシート３６を内側にして折曲部３９で折曲することにより、防漏堤４１が形成されている。防漏堤４１は、折曲部３９の近傍に位置する近位縁４２と、近位縁４２に並行する遠位縁４３とを有する。遠位縁４３では、バックシート３７を折り重ねることによりスリーブ４４が形成され、スリーブ４４の内側には一条または複数条の弾性部材４６が伸長状態で取り付けられている。かような防漏堤４１は、その前端部４１ａと後端部４１ｂとがホットメルト接着剤４８を介して体液吸収性パネル３の前端部３１と後端部３２との内面に接合し、防漏堤４１の中間部４１ｃが弾性部材４６の収縮とともに体液吸収性パネル３の中間部３３から中間部３３の上方へ起立可能な状態にある。このように形成されている体液吸収性パネル３は、それが図２のシャシー２の内面シート１０ａに載せられて、前端部３１と後端部３２とが、仮想線１２ｂと仮想線１２ｃとで示されている部位に対してホットメルト接着剤１４を介して接合される。
【００２４】
体液吸収性パネル３が接合された図２のシャシー２は、体液吸収性パネル３を内側にして中心線Ｐに沿って折り重ねられ、前胴回り域６の側縁部６ａと後胴回り域７の側縁部７ａとが溶着部位１１において溶着されると、図１のおむつ１となる。おむつ１となったときの体液吸収性パネル３は、それが図２の中心線Ｐに沿って折曲されてＵ字形ないしＶ字形を画くようになると、防漏堤４１における弾性部材４６が収縮することに伴い、内面シート１０ａに載せられて中心線Ｐで折曲された中間部３３が内面シート１０ａからシャシー２における股下域８の上方に位置するように動き、寸法Ｄの間隔が生じる（図１参照）。図１のおむつ１ではまた、そのような体液吸収性パネル３の股下域である中間部３３に対して、シャシー２における脚回り開口１３が高さ方向Ｃにおいてほぼ同じ位置となるように形成されているか、または下方となるように形成されている。
【００２５】
このような図１のおむつ１では、体液吸収性パネル３の中間部３３をシャシー２の内部において自由に動かすことができる。それゆえ、おむつ１を着用するために脚を脚回り開口１３に挿入しようとして体液吸収性パネル３が邪魔になるときには、体液吸収性パネル３が邪魔にならないようにその脚や手によって体液吸収性パネル３を動かすことができる。着用した後のおむつ１では、体液吸収性パネル３の防漏堤４１における遠位縁４３を着用者の鼠蹊部や脚回りにフィットさせようとして体液吸収性パネル３を持ち上げたときに、その体液吸収性パネル３の動きに引きずられてシャシー２の最下部弾性部材２１ｃや２２ｃが上方へ移動したり、シャシー２の股下域８が上方へ移動したりするということがないので、最下部弾性部材２１ｃ，２２ｃや股下域８が体液吸収性パネル３をおむつ１の下方から強く押して、防漏堤４１の起立を妨げるという問題は生じない。
【００２６】
おむつ１ではまた、最下部弾性部材２１ｃがおむつ１の前方部分１６おいて幅方向Ｂへ延びているのみで弾性的に伸長された状態で脚回り開口１３を囲むことがなく、最下部弾性部材２２ｃもまた弾性的に伸長された状態で脚回り開口１３を囲むことがない。すなわち、股下域８の前方部分８ａと後方部分８ｂとの間にあっておむつ着用者の内股と向かい合う部位５１（図２参照）はシャシー２の内股部分であって、そこには内股部分の前後方向へ伸長状態で延びる弾性部材が存在しないから、この部位５１は、着用者の脚回りに、具体的には着用者の内股に弾性的に密着することがない。このような部位５１は、内股との間に間隙を作り易く、その間隙は図１のおむつ１を着用するときにシャシー２の内外に通じる通気性の部位として作用することが可能で、シャシー２の内部が蒸れることを防ぐように作用する。
【００２７】
また、最下部弾性部材２１ｃと２２ｃとが脚回り周り開口１３の前方周縁部２３ａと後方周縁部２３ｂとにおいては伸長率が高い状態にあることによって緊張した状態にあり、股下域８の前方部分８ａと後方部分８ｂとにおいては伸長率が低い状態にあるか非伸長状態にあることによって弛緩した状態にあると、おむつ１では、幅方向Ｂへ伸長状態で延びる弾性部材の収縮によって股下域８にひだができて股下域８の外観が悪くなるということを防いだり、そのひだによって股下域８の幅方向Ｂにおける見かけの寸法が小さくなって体液吸収性パネル３がシャシー２の外側から見え易くなることを防いだりすることができる。
【００２８】
おむつ１はまた、前胴回り域６や後胴回り域７が体液吸収性パネル３と重なり合っていても、体液吸収性パネル３と接合していない部分６ｂ，７ｂ（図２参照）では、前方弾性部材２１ｂや後方弾性部材２２ｂの収縮が体液吸収性パネル３によって拘束されるということがなく、幅方向Ｂの全体にわたって一様に収縮することが可能になる。そのような部分６ｂ，７ｂでは、ひだ１５が幅方向Ｂの全体に一様に形成されるとともに、幅方向Ｂの寸法、すなわち幅も一様になって、シャシー２における側縁部６ａや７ａが直線状に延びるものになり、外観のよいおむつ１を得ることができる。
【００２９】
図５は、実施態様の一例を示す図１と同様な図である。図５におけるパンツ型おむつ１は、図１のシャシー２とは異なる態様のシャシー２を有している。図５のシャシー２の前胴回り域６６と後胴回り域６７との間に側部パネル６１が介在し、図ではその側部パネル６１が折り畳まれた状態にある。前胴回り域６６と後胴回り域６７とは、図１，２と同様のレイアウトで配置された前方弾性部材２１と後方弾性部材２２とを内面シート１０ａと外面シート１０ｂとの間に含んでいて、幅方向Ｂにおいて弾性的に伸長・収縮する。側部パネル６１は、弾性的な伸長性を持たない、いわゆる非弾性シート、または弾性的な伸長性を有する、いわゆる弾性シートのいずれかによって形成することができる。
【００３０】
図６は、図５において折り畳まれていた側部パネル６１を胴回り方向へ伸展させてあるおむつ１の斜視図であって、おむつ１はこの状態で着用される。側部パネル６１は、上下方向Ｃへ延びる両側縁部６２，６３のそれぞれがシャシー２における前胴回り域６６の側縁部６６ａと後胴回り域６７の側縁部６７ａとのそれぞれに接合している。このようなおむつ１の前胴回り域６は、シャシー２の前胴回り域６６と、一対の側部パネル６１それぞれの一部分とによって形成されている。また、おむつ１の胴回り開口１２と脚回り開口１３とは、シャシー２と一対の側部パネル６１とによって画成されている。
【００３１】
図７は、図６のおむつ１において、シャシー２の前胴回り域６６の側縁部６６ａと側部パネル６１の側縁部６２との接合を解いて、おむつ１を前後方向Ａと幅方向Ｂとに伸展して得られる展開おむつ１ａの部分破断平面図である。展開おむつ１ａのシャシー２は、内面シート１０ａと、外面シート１９ｂと、前方弾性部材２１と、後方弾性部材２２とを含むことにおいて、図２の展開おむつ１ａと同じである。ただし、図７における展開おむつ１ａにおいては、最下部弾性部材２１ｃと２２ｃとが脚回り開口１３の周縁部分２３のうちでも、シャシー２によって形成されている前縁部分２３ａと後縁部分２３ｂとにのみ存在している。このような図６の態様にある最下部弾性部材２１ｃ，２２ｃも、図１における最下部弾性部材２１ｃや２２ｃと同様に機能することが可能である。
【００３２】
図示例のパンツ型おむつ１において、シャシー２の内面シート１０ａと外面シート１０ｂとには、熱可塑性合成繊維で形成された不織布や織布、熱可塑性合成樹脂で形成されたフィルム、不織布どうしの積層体、不織布とフィルムとの積層体等を使用することができる。内面シート１０ａと外面シート１０ｂは通気性のものであることが好ましく、通気不透液性のものであることがより好ましい。体液吸収性パネル３における透液性のトップシート３６には、熱可塑性合成繊維で形成された不織布や熱可塑性合成樹脂で形成された開孔フィルムを使用することができる。不透液性のバックシート３７には、熱可塑性合成樹脂で形成されたフィルムを使用することができる。体液吸収性パネル３における芯材３８には、粉砕パルプや粉砕パルプと高吸水性ポリマー粒子との混合物等の吸水性材料をティッシュペーパや透液性不織布で形成されたタッピングシートで被覆したものを使用することができる。
【００３３】
図示例において使い捨てのパンツ型おむつ１を例にとって説明したこの発明に係るパンツ型着用物品は、失禁患者用パンツ、トレーニングパンツ等として使用することもできる。
【符号の説明】
【００３４】
１      パンツ型着用物品（おむつ）
２      シャシー
３      体液吸収性パネル
６      前胴回り域
７      後胴回り域
８      股下域
【図１】
0005745246.tif 000002
【図２】
0005745246.tif 000003
【図３】
0005745246.tif 000004
【図４】
0005745246.tif 000005
【図５】
0005745246.tif 000006
【図６】
0005745246.tif 000007
【図７】
0005745246.tif 000008